(57)【要約】      （修正有）【課題】ゼロに戻り位置決めされたことを確認することができる視力訓練装置を提供する。【解決手段】動力手段と、電気回路制御板とを含む。動力手段ネジ桿座と、ピストン手段と、気圧缶と、ガイド溝と、ガイド部材とを含む。ネジ桿座がピストンと一体に組み合わせられてピストン手段を形成し、気圧缶がピストンとネジ桿座の外周に枢設され、ガイド溝が気圧缶外周面に形成され、ガイド部材が、ガイド溝を貫通して、ネジ桿座に固定して設けられる。電気回路制御板が、気圧缶のガイド溝が設けられた側面に固定して設けられ、ガイド溝に対応する切り欠け口の周囲におけるピストンセットがゼロに戻る位置、プラス気圧、或いはマイナス気圧の極限の位置に、位置決めセンサーと、プラス気圧微動スイッチと、マイナス気圧微動スイッチとが設けられる。【選択図】図３
0003162738.tif 000002
【実用新案登録請求の範囲】
【請求項１】
動力手段と、電気回路制御板とを含んでなり、
該動力手段が、ネジ桿座と、ピストン手段と、気圧缶と、ガイド溝と、ガイド部材とを含んでなり、
該動力手段がモータでネジ桿を回転させ、
該ネジ桿座が、ネジ孔を設けてなり、ネジ桿と螺接し、
該ネジ桿座がピストンと一体に組み合わせられてピストン手段を形成し、
該気圧缶がピストン手段のピストンとネジ桿座の外周に枢設され、
該ガイド溝が気圧缶の外周面の軸方向に形成され、
該ガイド部材が、ガイド溝を貫通して、ネジ桿座に固定して設けられ、
該電気回路制御板が、気圧缶のガイド溝が設けられた側面に固定して設けられ、ガイド溝に対応して切り欠け口が設けられ、
該切り欠け口の周囲におけるピストンセットがゼロに戻る位置、プラス気圧またはマイナス気圧の極限の位置に位置決めされる位置決めセンサーと、プラス気圧微動スイッチと、マイナス気圧微動スイッチとが設けられ、
ガイド部材上に設けられた感知部材が位置決めセンサーに向けて湾曲し、  動力手段の始動により、ネジ桿が回転しピストン手段がガイド部材の感知部材を動かし位置決めセンサーに達するとゼロの位置に位置決めされ、ガイド部材がプラス気圧微動スイッチ、マイナス気圧微動スイッチを触れ動かし位置決めセンサーに戻り、プラス気圧またはマイナス気圧の視力訓練の指示を待つ状態になる構造を特徴とする視力保健器。
【請求項２】
前記電気回路制御板が、気圧缶のガイド溝の側面に固定して設けられ、複数のネジを電気回路制御板の複数の穿孔に穿設し、気圧缶の複数のネジ孔に設けて固定することを特徴とする請求項１に記載の視力保健器。
【考案の詳細な説明】
【技術分野】
【０００１】
この考案は、視力保健器であって、特に目に刺激を与えて視力を維持、或いは改善するために使用する視力保健器に関する。
【背景技術】
【０００２】
図１は、従来の視力保健器を示したものである。
【０００３】
図面によれば、該視力保健器は、気圧手段１０を利用してプラスとマイナスの気圧を発生させ、管体１１を介してプラス、マイナス圧の空気を眼帯（図示しない）にガイドする。
【０００４】
眼球に対して圧力、或いは吸引力が形成されて、目に刺激を与えて視力を矯正、或いは訓練する目的を達成する。
【０００５】
従来の製品の気圧手段１０は、モータ１２が軸１３を介してネジ桿１４を連動する。
【０００６】
ネジ桿座１５とネジ桿１４とは螺接し、ネジ桿座１５とピストン１６とが接続する。
【０００７】
気圧缶１７はピストン１６とネジ桿座１５の外周に枢設され、ネジ桿座の外周面対応して突出して設けられた軸受け部１５１、１５２がガイド溝１７１、１７２を設けているため、位置決めして滑動し、ピストン１６が移動するだけで、回転することがない。
【０００８】
モータ１２を駆動して軸１３、ネジ桿１４とが回転すると、ネジ桿座１５及びピストン１６とが直線の往復運動を行う。
【０００９】
ピストン１６の往復運動がプラス、マイナス気圧の圧力、或いは吸引力を発生し、プラス、マイナス気圧の圧力、或いは吸引力を管体１１から眼帯へ輸送し、目に刺激を与える目的を達成する。
【００１０】
しかしながら、上述の従来の気圧手段１０は、操作する場合に位置決め、及ゼロに戻ったことを検知する手段が何もない。
【００１１】
よって、長期間使用した後、気圧手段１０が発生するプラス、マイナスの気圧量が多すぎる、不足するなどの状況が発生し、目に与える刺激とその効果に影響を与える。
【考案の開示】
【考案が解決しようとする課題】
【００１２】
この考案は、ゼロに戻り位置決めされたことを確認する手段を具えた視力訓練装置を提供することを課題とする。
【課題を解決するための手段】
【００１３】
そこで、本考案者は従来の技術に見られる欠点に鑑みて鋭意研究を重ねた結果、動力手段と、電気回路制御板とを含んでなり、
該動力手段が、ネジ桿座と、ピストン手段と、気圧缶と、ガイド溝と、ガイド部材とを含んでなり、
該動力手段がモータでネジ桿を回転させ、
該ネジ桿座が、ネジ孔を設けてなり、ネジ桿と螺接し、
該ネジ桿座がピストンと一体に組み合わせられてピストン手段を形成し、
該気圧缶がピストン手段のピストンとネジ桿座の外周に枢設され、
該ガイド溝が気圧缶の外周面の軸方向に形成され、
該ガイド部材が、ガイド溝を貫通して、ネジ桿座に固定して設けられ、
該電気回路制御板が、気圧缶のガイド溝が設けられた側面に固定して設けられ、ガイド溝に対応して切り欠け口が設けられ、
該切り欠け口の周囲におけるピストンセットがゼロに戻る位置、プラス気圧またはマイナス気圧の極限の位置に位置決めされる位置決めセンサーと、プラス気圧微動スイッチと、マイナス気圧微動スイッチとが設けられ、
ガイド部材上に設けられた感知部材が位置決めセンサーに向けて湾曲し、動力手段の始動により、ネジ桿が回転しピストン手段がガイド部材の感知部材を動かし位置決めセンサーに達するとゼロの位置に位置決めされ、ガイド部材がプラス気圧微動スイッチ、マイナス気圧微動スイッチを触れ動かし位置決めセンサーに戻り、プラス気圧またはマイナス気圧の視力訓練の指示を待つ状態になる構造からなる視力保健器によって課題を解決できる点に着眼し、かかる知見に基づいて本考案を完成させた。
【００１４】
以下、この考案について具体的に説明する。
請求項１に記載する視力保健器は、動力手段と、電気回路制御板とを含んでなり、
該動力手段が、ネジ桿座と、ピストン手段と、気圧缶と、ガイド溝と、ガイド部材とを含んでなり、
該動力手段がモータでネジ桿を回転させ、
該ネジ桿座が、ネジ孔を設けてなり、ネジ桿と螺接し、
該ネジ桿座がピストンと一体に組み合わせられてピストン手段を形成し、
該気圧缶がピストン手段のピストンとネジ桿座の外周に枢設され、
該ガイド溝が気圧缶の外周面の軸方向に形成され、
該ガイド部材が、ガイド溝を貫通して、ネジ桿座に固定して設けられ、
該電気回路制御板が、気圧缶のガイド溝が設けられた側面に固定して設けられ、ガイド溝に対応して切り欠け口が設けられ、
該切り欠け口の周囲におけるピストンセットがゼロに戻る位置、プラス気圧またはマイナス気圧の極限の位置に位置決めされる位置決めセンサーと、プラス気圧微動スイッチと、マイナス気圧微動スイッチとが設けられ、
ガイド部材上に設けられた感知部材が位置決めセンサーに向けて湾曲し、動力手段の始動により、ネジ桿が回転しピストン手段がガイド部材の感知部材を動かし位置決めセンサーに達するとゼロの位置に位置決めされ、ガイド部材がプラス気圧微動スイッチ、マイナス気圧微動スイッチを触れ動かし位置決めセンサーに戻り、プラス気圧またはマイナス気圧の視力訓練の指示を待つ状態になる構造からなる。
【００１５】
請求項２に記載する視力保健器は、請求項１における電気回路制御板が、気圧缶のガイド溝の側面に固定して設けられ、複数のネジを電気回路制御板の複数の穿孔に穿設し、気圧缶の複数のネジ孔に設けて固定する。
【考案の効果】
【００１６】
この考案の視力保健器は、ピストン手段の位置が確認できるため、目に適宜な刺激と効果を与える気圧量を供することができて実用的であるという効果を有する。
【考案を実施するための最良の形態】
【００１７】
この考案は、ゼロに戻り位置決めされたことを確認する手段を具えた視力訓練装置であって、動力手段と、電気回路制御板とを含んでなり、動力手段が、ネジ桿座と、ピストン手段と、気圧缶と、ガイド溝と、ガイド部材とを含んでなり、動力手段がモータでネジ桿を回転させ、ネジ桿座が、ネジ孔を設けてなり、ネジ桿と螺接し、ネジ桿座がピストンと一体に組み合わせられてピストン手段を形成し、気圧缶がピストン手段のピストンとネジ桿座の外周に枢設され、ガイド溝が気圧缶の外周面の軸方向に形成され、ガイド部材が、ガイド溝を貫通して、ネジ桿座に固定して設けられ、電気回路制御板が、気圧缶のガイド溝が設けられた側面に固定して設けられ、ガイド溝に対応して切り欠け口が設けられ、該切り欠け口の周囲におけるピストンセットがゼロに戻る位置、プラス気圧、或いはマイナス気圧の極限の位置に位置決めセンサーと、プラス気圧微動スイッチと、マイナス気圧微動スイッチとが設けられ、ガイド部材上に設けられた感知部材が位置決めセンサーに向けて湾曲し、  動力手段が始動すると、ネジ桿が回転してピストン手段がガイド部材の感知部材を動かし位置決めセンサーに達するとゼロの位置に位置決めされ、ガイド部材がプラス、マイナス気圧微動スイッチを触れ動かして間違いなく位置決めセンサーに戻ったことを確認し、プラス、或いはマイナス気圧の視力訓練の指示を待つ状態になる構造からなる視力保健器の構造と特徴を詳述するために具体的な実施例を挙げ、図示を参照にして以下に説明する。
【実施例】
【００１８】
図２から図５は、この考案の視力訓練装置を示した斜視図、分解図、断面図、使用状態を示した説明図である。
【００１９】
図面によれば、この考案の視力訓練装置は、動力手段２０と、電気回路制御板６０とを含んでなる。
【００２０】
該動力手段２０は、ネジ桿座３１と、ピストン手段３０と、気圧缶４０と、ガイド溝４１と、ガイド部材５０とを含んでなる。
【００２１】
該動力手段２０は、モータ２１でネジ桿２２を回転する。
【００２２】
該ネジ桿座３１は、ネジ孔３１１を設けてなり、ネジ桿２２と螺接する。
【００２３】
該ネジ桿座３１とピストン３２とを一体に組み合わせてピストン手段３０を形成する。
【００２４】
該気圧缶４０は、該ピストン手段３０のピストン３２とネジ桿座３１の外周に枢設される。
【００２５】
該ガイド溝４１は、気圧缶４０の外周面の軸方向に形成される。
【００２６】
該ガイド部材５０は、ガイド溝４１を貫通して、ネジ桿座３１に固定して設けられる。
【００２７】
該電気回路制御板６０は、気圧缶４０のガイド溝４１が設けられた側面に固定して設けられ、ガイド溝４１に対応して切り欠け口６１が設けられる。
【００２８】
また、切り欠け口６１の周囲にはピストンセット３０が元の位置に戻り、プラス気圧、或いはマイナス気圧の極限の位置に位置決めセンサー７０と、プラス気圧微動スイッチ８０と、マイナス気圧微動スイッチ９０と、を設けてなる。
【００２９】
感知部材５１は、ガイド部材５０上に設けられ、位置決めセンサー７０の方向に向いて湾曲して設けられる。
【００３０】
よって、動力手段２０が始動すると、ネジ桿２２が回転してピストン手段３０がガイド部材５０の感知部材５１を動かし位置決めセンサー７０に達してゼロの位置に位置決めされる。
【００３１】
この時、ガイド部材５０がプラス、マイナス気圧微動スイッチ８０、９０を触れ動かして動かし間違いなく位置決めセンサー７０に戻ったことを確認し、プラス、或いはマイナス気圧の視力訓練の指示を待つ状態になり、視力訓練に適宜なプラス、マイナス気圧の気圧量を確保する。
【００３２】
前述の電気回路制御板６０は、気圧缶４０のガイド溝４１の側面に固定して設けられる。
【００３３】
該電気回路制御板６０は、複数のネジ６２を電気回路制御板６０の複数の穿孔６３に穿設し、気圧缶４０の複数のネジ孔４３に設けて固定する。
【００３４】
前述の動力手段２０は、ピストン手段３０のネジ桿座３１がガイド部材５０を固定し、ガイド部材５０が気圧缶４０のガイド溝４１を貫通して外部に突出しているため、ガイド溝４１がピストン手段３０の滑動を制限する。
【００３５】
よって、ピストン手段３０が直線の移動をするだけで、回転することがない。
【００３６】
モータ２１がネジ桿２２を回転させると、ネジ桿座３１とピストン３２が直線の往復運動を実施する。
【００３７】
ピストン３２が往復運動を実施すると、プラス、マイナス気圧の圧力、或いは吸引力が発生する。
【００３８】
プラス、マイナス気圧の圧力、或いは吸引力が出口４２から眼帯に送られ、目の部分に視力訓練を実施する。
【００３９】
図５に開示するように、動力手段２０が始動すると、モータ２１がネジ桿２２を回転させる。
【００４０】
ネジ桿２２が回転すると、ピストン手段３０がガイド部材５０及び感知部材５１を動かして位置決めセンサー７０に達し、ゼロの位置に位置決めし、ガイド部材５０がプラス気圧微動スイッチ８０及びマイナス気圧微動スイッチ９０を触れ動かして舞い違いなく位置決めセンサー７０に戻ったことを確認し、プラス気圧或いはマイナス気圧で視力訓練を実施する指示を待機する。
【００４１】
図６は、プラスの気圧を操作する状態を示した説明図である。
【００４２】
図面によれば、モータ２１を駆動してネジ桿２２を時計回りに回転させると、ピストン手段３０が駆動して気圧缶４０の出口４２方向に前進する。
【００４３】
その工程で気体が出口４２から眼帯へ押し出され、眼帯にプラス気圧が発生して視力訓練を実施する。
【００４４】
ガイド部材５０がピストン手段３０の前進に伴ってプラス気圧微動スイッチ８０に接触すると、モータ２１が停止し、プラス気圧が続けて加圧する動作も停止する。
【００４５】
図７は、マイナス気圧の操作状態を示した説明図である。
【００４６】
図面によれば、モータ２１が駆動してネジ桿２２が逆時計回りに回転すると、ピストン手段３０が気圧缶４０の出口４２から離れる方向に進んでいく。
【００４７】
その過程で空の空間が発生し、眼帯から吸い込まれた気体が出口４２から充填され、眼帯にマイナス気圧が発生して視力訓練を実施する。
【００４８】
ガイド部材５０がピストン手段３０の交代に伴ってマイナス気圧微動スイッチ９０に接触すると、モータ２１が動作を停止し、マイナス気圧が引き続き気体を吸い込む動作も停止する。
【００４９】
動力手段を駆動すると、ネジ桿が回転し、ピストン手段がガイド部材のセンサー部材を動かして位置決めセンサーに達し、ゼロの位置に位置決めする。
【００５０】
また、ガイド部材がプラス、マイナス気圧微動スイッチを動かして誤りなく位置決めセンサーに達したことを確認し、プラス、マイナス気圧の視力訓練を実施する指示を待機する状態になる。
【００５１】
よって、視力訓練に適宜な効果をもたらすプラス、マイナス気圧の気圧量を確保することができる。
【００５２】
この考案の視力訓練手段は、構造上に位置決めセンサー、プラス気圧微動スイッチ、マイナス気圧微動スイッチ、感知部材がガイド部材上に設けられ、位置決めセンサーが感知する方向に向けて折り曲げられているため、ゼロの位置と、プラス、マイナス気圧とを測定して適宜なプラス、マイナス気圧の気圧量を確保することができる。  
【００５３】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００５４】
【図１】従来の視力保健器を示した断面図である。
【図２】この考案の視力保健器を示した斜視図である。
【図３】この考案の視力保健器を示した分解図である。
【図４】この考案の視力保健器を示した断面図である。
【図５】この考案の視力保健器がゼロに戻った状態を示した説明図である。
【図６】この考案の視力保健器がプラス気圧を操作する状態を示した説明図である。
【図７】この考案の視力保健器がマイナス気圧を操作する状態を示した説明図である。
【符号の説明】
【００５５】
１０     気圧手段
１１     管体
１２     モータ
１３     軸
１４     ネジ桿
１５     ネジ桿座
１５１   軸受け部
１５２   軸受け部
１６     ピストン
１７     気圧缶
１７１   ガイド溝
１７２   ガイド溝
２０     動力手段
２１     モータ
２２     ネジ桿
３０     ピストン手段
３１     ネジ桿座
３１１   ネジ孔
３２     ピストン
４０     気圧缶
４１     ガイド溝
４２     出口
４３     ネジ孔
５０     ガイド部材
５１     感知部材
６０     電気回路制御板
６１     切り欠け口
６２     ネジ
６３     穿孔
７０     位置決めセンサー
８０     プラス気圧微動スイッチ
９０     マイナス気圧微動スイッチ
【図１】
0003162738.tif 000003
【図２】
0003162738.tif 000004
【図３】
0003162738.tif 000005
【図４】
0003162738.tif 000006
【図５】
0003162738.tif 000007
【図６】
0003162738.tif 000008
【図７】
0003162738.tif 000009